(57)【要約】【課題】被シール面に鋳巣等による比較的大きな凹部を有する部材を含むシール対象２部材であっても、シール機能を充分に発揮することができるガスケットを提供する。【解決手段】シール対象２部材３，６における環状の両被シール面３ａ，６ａ間に圧縮状態で介在される環状のガスケット８であって、ゴムよりも剛性のある板状基材８０と、該板状基材８０の表裏両面に固着された２種のゴム材製シール部７１，７２とよりなり、  前記２種のシール部７１，７２は、互いに硬度が異なるゴム材料で構成され、且つ、シール幅ａ，ｂが異なることを特徴とする。【選択図】図３
2014081049.tif 000002
【特許請求の範囲】
【請求項１】
シール対象２部材における環状の両被シール面間に圧縮状態で介在される環状のガスケットであって、
ゴムよりも剛性のある板状基材と、該板状基材の表裏両面に固着された２種のゴム材製シール部とよりなり、
前記２種のシール部は、互いに硬度が異なるゴム材料で構成され、且つ、シール幅が異なることを特徴とするガスケット。
【請求項２】
請求項１に記載のガスケットにおいて、
前記２種のシール部のうちの一方のシール部の前記圧縮方向に沿った高さが、他方のシール部の前記圧縮方向に沿った高さより大とされていることを特徴とするガスケット。
【請求項３】
請求項２に記載のガスケットにおいて、
前記一方のシール部のゴム硬度が、前記他方のシール部のゴム硬度より大であることを特徴とするガスケット。
【請求項４】
請求項３に記載のガスケットにおいて、
前記一方のシール部のゴム硬度がＨｓ５０〜８０であり、前記他方のシール部のゴム硬度がＨｓ４０〜７０であることを特徴とするガスケット。
【請求項５】
請求項２〜請求項４のいずれか一項に記載のガスケットにおいて、
前記他方のシール部のシール幅が前記一方のシール部のシール幅より大とされていることを特徴とするガスケット。
【請求項６】
請求項５に記載のガスケットにおいて、
前記他方のシール部のシール幅が２〜１０ｍｍであることを特徴とするガスケット。
【請求項７】
請求項１〜請求項６のいずれか一項に記載のガスケットにおいて、
前記２部材の一方が、合成樹脂の成型体からなり、当該一方の部材の前記被シール面には、周方向に沿った凹溝が成型によって形成され、他方の部材は金属の鋳造体からなり、当該他方の部材の前記被シール面は研削によって平坦面とされていることを特徴とするガスケット。
【発明の詳細な説明】
【技術分野】
【０００１】
本発明は、内燃機関等に用いられるガスケットに関し、例えば、シール対象の２部材の一方が合成樹脂の成型体又は金属のプレス成形体からなり、他方が金属の鋳造体からなる場合の、両部材の被シール面間に圧縮状態で介在されるガスケットに関する。
【背景技術】
【０００２】
内燃機関において、例えば、シリンダヘッドカバーとシリンダヘッドとの締結部、オイルパンとシリンダブロックとの締結部、チェーンカバー（タイミングベルトカバー）とシリンダブロック或いはシリンダヘッドとの締結部、インテークマニホールドとシリンダへッドとの締結部、更には、オイルクーラーとシリンダブロックとの締結部等には、それぞれ専用のガスケットが介在される。このように締結される２部材は、シール対象部材として締結部に介在される前記ガスケットによって互いにシールされる。近時、このようなシール対象の２部材は、一方の部材が合成樹脂の成型体や金属板のプレス成形体からなり、他方の部材が金属の鋳造体からなる場合が多くなってきている。
【０００３】
そして、一方の部材が合成樹脂の成型体からなる場合、その被シール面には、前記ガスケットを嵌め込み得る凹溝が形成され、他方の部材の被シール面は、鋳造後の研削によって平坦面とされる。このように、他方の部材は金属の鋳造体からなるから、鋳造体内の鋳巣が、研削によって凹部（径が２〜４ｍｍ程度のものもある）となって前記平坦な被シール面に露出する。これに対し、前記一方の部材が合成樹脂の成型体からなる場合は、前記凹溝も含めて一体に成型されたものであるから、凹溝の底面及び内側面を含む被シール面は、金型のキャビティ面が転写された平滑な面とされる。また、一方の部材が金属板のプレス成形体からなる場合は、前記被シール面は、金属板の板面の一部によって構成されるから、前記のような凹部のない平滑な面とされる。このように、シール対象の２部材の被シール面の表面状態（表面粗さ等）が異なる場合、両者の間に介在されるガスケットは、それぞれの被シール面に接する部分がそれぞれの被シール面の状態に適合するような性状を備えていることが求められる。
【０００４】
特許文献１には、電気・電子機器（例えば、携帯電話）のハウジングに用いられるゴムパッキンであって、部材（被シール面）と接触する部分に低硬度ゴム部を、この低硬度ゴム部の間または内部に高硬度ゴム部を、それぞれ配したゴムパッキンが記載されている。本特許文献によれば、従来のゴムパッキンは、伸びやすく、捩れやすく、取扱いにくいため、ケースの条溝（シール溝）に対する取付けの作業性が悪かったが、このようなゴムの複合体から構成することによって、ケースへの組付けの作業性が改善されるとされている。また、特許文献２には、ゴム材あるいは合成樹脂材からなる高硬度の薄膜キャリアと、その表裏両面に薄膜キャリアより低硬度でかつ互いに硬度が異なるゴム系のシール材を設けた固体高分子型燃料電池の密封材が記載されている。この、密封材は、カーボン材などで形成された割れ易く表面が滑らかでない部材を確実にシールし得るものとされている。さらに、特許文献３には、シリンダヘッドカバーのシール溝の底部と対面する上部が軟質ゴムで構成され、下部が該軟質ゴムよりゴム硬度でＨｓ１０以上高い硬質ゴムで構成された上下２層構造のシリンダヘッドカバーガスケットが記載されている。本特許文献によると、前記下部は、シリンダブロックに対面し、シリンダヘッドカバー及びシリンダブロックを充分な作用力で締付けることができるとされている。
【先行技術文献】
【特許文献】
【０００５】
【特許文献１】特開平１０−１６９７８０号公報
【特許文献２】特開２００１−３３６６４０号公報
【特許文献３】実開昭６１−１４９７５６号公報
【発明の概要】
【発明が解決しようとする課題】
【０００６】
ところで、前記のように、他方の部材が金属の鋳造体からなる場合、被シール面に露出する前記鋳巣による凹部は、その開口径が大きく且つ深いものも多く見られる。そのため、ゴム材で構成されるガスケットのこの被シール面に接する部分は、一部が前記凹部に没入してゴム材の偏りが生じ、あるいは、凹部の開口部の全体をカバーし得ないことも生じ、これによって、シール機能が充分に発揮されなくなることがある。これに対し、前記一方の部材の被シール面は平滑であり、このような凹部が存在しないから、この部分で前記のようなシール機能が低下する恐れはない。
【０００７】
特許文献１に記載されたゴムパッキンは、低硬度ゴム部と高硬度ゴム部との複合体からなる。しかし、シール対象２部材の各被シール面に接する低硬度ゴム部は同材質であって、それぞれの被シール面の特性が前記のように異なる場合でも、それぞれに適合するような性状を備えているものではない。また、特許文献２に記載された密封材において、前記薄膜キャリアは、表裏両面に設けられるシール材より高硬度であるが、薄くて柔軟性を備えたものである。そのため、他方の部材の被シール面に鋳巣による凹部を有する２部材間に介在させた場合、当該被シール面に対面するシール材は、薄膜キャリアと共に、一部が凹部に没入してしまうおそれがあり、この部分でのシール機能が充分に発揮される保証はない。さらに、特許文献３に記載されたシリンダヘッドカバーガスケットは、軟質ゴムからなる上部と、上部より固い硬質ゴムからなる下部との２層構造によって構成される。しかし、上部が対面するシール溝と下部が対面するシリンダブロックの被シール面との特性の違いにそれぞれ適合するよう構成されたものではない。
【０００８】
本発明は、上記に鑑みなされたもので、被シール面に鋳巣等による比較的大きな凹部を有する部材を含むシール対象２部材であっても、シール機能を充分に発揮することができるガスケットを提供することを目的としている。
【課題を解決するための手段】
【０００９】
本発明に係るガスケットは、シール対象２部材における環状の両被シール面間に圧縮状態で介在される環状のガスケットであって、ゴムよりも剛性のある板状基材と、該板状基材の表裏両面に固着された２種のゴム材製シール部とよりなり、前記２種のシール部は、互いに硬度が異なるゴム材料で構成され、且つ、シール幅が異なることを特徴とする。
【００１０】
本発明によれば、２種のシール部を、シール対象２部材の対向する両被シール面の状態に適合するような性状及び構造とすることができ、優れたシール機能が得られる。２種のシール部は、ゴムよりも剛性のある板状基材の表裏両面に固着されているから、シール幅の広い側のシール部においても、シール幅全体に均一な応力が発現され、被シール面に比較的大きな凹部があっても、シール機能を充分に発揮することができる。
【００１１】
本発明のガスケットにおいて、前記２種のシール部のうちの一方のシール部の前記圧縮方向に沿った高さが、他方のシール部の前記圧縮方向に沿った高さより大とされているものとしても良い。
これによれば、両被シール面が、凹溝を有する被シール面及び平坦なシール面である場合に、高さが高い方のシール部を凹溝を有する被シール面に対応させ、高さが低い方のシール部を平坦な被シール面に対応させることができる。このように、被シール面の状態に応じて設定することにより、それぞれのシール対象部材に適合した優れたシール機能が得られる。
【００１２】
本発明のガスケットにおいて、前記一方のシール部のゴム硬度を、前記他方のシール部のゴム硬度より大としても良い。
これによれば、両被シール面が、平滑な被シール面と、凹部等を含む粗面からなる被シール面である場合に、ゴム硬度の大きいシール部を平滑な被シール面に対応させ、ゴム硬度の小さいシール部を粗面からなる被シール面に対応させることができる。ゴム硬度の小さいシール部は、粗面にも馴染み易く、粗面であっても良好なシール機能が得られる。また、剛性のある板状基材に固着されているから、ゴム硬度の小さいシール部の横流れ（ゴム流れ）も防止される。
【００１３】
本発明のガスケットにおいて、前記一方のシール部のゴム硬度がＨｓ５０〜８０であり、前記他方のシール部のゴム硬度がＨｓ４０〜７０であっても良い。
これによれば、両被シール面の状態に応じ、それぞれの被シール面において良好なシール機能を発揮し得るよう設定することができる。因みに、一方のシール部のゴム硬度がＨｓ５０未満の場合、シールに必要な面圧を発生させることができなくなる傾向となる。一方のシール部のゴム硬度がＨｓ８０を超える場合、相手面とのなじみ性が悪く、シール機能が低下する傾向となる。他方のシール部のゴム硬度がＨｓ４０未満の場合、ゴムに横流れが発生し易く、当該シール部に亀裂が生じ易くなる。他方のシール部のゴム硬度がＨｓ７０を超える場合、被シール面に凹部がある場合、該凹部に対するなじみ性が悪く、この部分でのシール機能が低下する傾向となる。
【００１４】
本発明のガスケットにおいて、前記他方のシール部のシール幅が前記一方のシール部のシール幅より大とされているものとしても良い。
これによれば、被シール面が鋳巣による凹部等を含む場合に、この被シール面にシール幅の大きいシール部を対応させることにより、凹部の開口部をカバーすることができ、凹部の存在によるシール機能の低下を来す懸念がない。
【００１５】
本発明のガスケットにおいて、前記他方のシール部のシール幅を２〜１０ｍｍとしても良い。
これによれば、前記凹部が、鋳巣によるもので、開口径が大きい場合でも、これをカバーすることができる。因みに、シール幅が２ｍｍ未満の場合、凹部の開口部を完全にカバーし得ない場合が生じる。シール幅が１０ｍｍを超える場合、被シール面に対して過剰幅となる。
【００１６】
本発明のガスケットにおいて、前記２部材の一方が、合成樹脂の成型体からなり、当該一方の部材の前記被シール面には、周方向に沿った凹溝が成型によって形成され、他方の部材は金属の鋳造体からなり、当該他方の部材の前記被シール面は研削によって平坦面とされているものとしても良い。
これによれば、一方の部材は合成樹脂の成型体からなるから、凹溝の底面及び側面を含む被シール面は、成型によって平滑に仕上げられる。また、他方の部材は金属の鋳造体からなり、被シール面は研削によって平坦に仕上げられ、このとき、当該他方の部材の被シール面には、鋳巣による開口径の大きな凹部が露出する。このように、両被シール面の性状が大きく異なるが、それぞれの被シール面に前記２種のシール部を対応させることにより、良好なシール機能が得られる。特に、他方のシール部のゴム硬度を一方のシール部のゴム硬度より低くし、あるいは、他方のシール部のシール幅を一方のシール部のシール幅より大きくすることにより、鋳巣による凹部を有する被シール面に対する適合性が向上する。また、２種のシール部は、ゴムよりも剛性のある板状基材に固着されているから、シール幅の広い側のシール部においても、シール幅全体に均一な応力が発現され、被シール面に比較的大きな前記鋳巣による凹部があっても、シール機能を充分に発揮することができる。
【発明の効果】
【００１７】
本発明のガスケットによれば、被シール面に鋳巣等による比較的大きな凹部を有する部材を含むシール対象２部材であっても、シール機能を充分に発揮することができる。
【図面の簡単な説明】
【００１８】
【図１】本発明に係る一実施形態のガスケットが適用される自動車用エンジンを示す部分破断正面図である。
【図２】図１におけるＸ部の拡大図である。
【図３】同実施形態のガスケットの拡大断面図である。
【発明を実施するための形態】
【００１９】
以下に本発明の実施の形態について、図面を参照して説明する。図例の自動車用エンジン１は、シリンダブロック２と、シリンダヘッド３と、オイルパン４と、チェーンカバー（フロントカバー）５と、シリンダヘッドカバー（ロッカーカバー）６とより構成される。前記シリンダヘッド３は、前記シリンダブロック２の上面に締結合体され、前記オイルパン４は、シリンダブロック２の下面に締結合体される。また、前記チェーンカバー５は、縦方向に合体された前記シリンダブロック２、シリンダヘッド３及びオイルパン４の前側部にこれらの合体方向と直交する方向よりこれらに跨るよう締結合体される。さらに、シリンダヘッドカバー６は、前記シリンダヘッド３及びチェーンカバー５の上端面に両者に跨るよう締結合体される。エンジンの仕様によっては、ベルト（タイミングベルト）によって前記駆動伝達系が構成される場合があり、この場合は、チェーンカバー５はベルトカバーと称される。
【００２０】
本実施形態では、シリンダブロック２及びシリンダヘッド３は金属の鋳造体からなり、また、オイルパン４及びチェーンカバー５が金属板のプレス成形体からなり、さらに、シリンダヘッドカバー６が合成樹脂の成型体からなる。そして、図例では、本発明に係る環状のガスケットが、シリンダヘッド３及びチェーンカバー５の上端面（被シール面）３ａ，５ａと、シリンダヘッドカバー６の下端面（被シール面）６ａとの間に圧縮状態で介在された例を示している。この場合、シリンダヘッドカバー６がシール対象２部材の一方に相当し、シリンダヘッド３及びチェーンカバー５がシール対象２部材の他方に相当する。また、シリンダヘッド３の被シール面３ａ及びチェーンカバー５の被シール面５ａが連なって環状の被シール面をなし、シリンダヘッドカバー６の被シール面６ａは、単独で環状の被シール面をなす。
【００２１】
シリンダヘッド（シール対象２部材の他方）３は、例えばアルミニウムの鋳造体からなり、その上端部は、研削により平坦面とされて被シール面３ａとされる。シリンダヘッド３を構成する鋳造体の内部には多数の鋳巣３１が鋳造によって不可避的に形成され、上端部付近の鋳巣３１は、前記研削によって前記被シール面３ａに凹部３１ａとして露出している。また、シリンダヘッドカバー（シール対象２部材の一方）６は、下方に開口する箱形の形状をなし、この開口部には外向きのフランジ部６１が連設されており、前記開口部の周縁部から当該フランジ部６１に連なる下端面が前記被シール面６ａとされる。そして、前記フランジ部６１を介しボルト６２を前記シリンダヘッド３の上端面（被シール面）３ａからシリンダヘッド３に螺合させることにより、シリンダヘッドカバー６がシリンダヘッド３に締結合体される。シリンダヘッドカバー６の被シール面６ａであって、前記フランジ部６１の内側部分には、周方向に沿った凹溝６３が成型によって形成されている。また、チェーンカバー５の上端面も平坦な被シール面５ａとされている。
【００２２】
本実施形態のガスケット８は、ゴムよりも剛性のある板状基材８０と、該板状基材の表裏両面に固着された２種のゴム材製のシール部（一方のシール部、他方のシール部）８１，８２とよりなる。該ガスケット８は、シリンダヘッドカバー６の被シール面６ａと、シリンダヘッド３及びチェーンカバー５の被シール面３ａ，５ａとの間に圧縮状態で介在される。前記ガスケット８において、前記板状基材８０は、硬質合成樹脂の成型体からなる。また、前記２種のシール部８１，８２は、ＮＢＲ，Ｈ−ＮＢＲ，ＡＣＭ，ＡＥＭ，ＥＰＤＭ，ＶＭＱ，Ｆ−ＶＭＱ，ＦＫＭ等のゴム材による加硫成型体からなり、後記の所望するゴム硬度になるように充填剤等を添加、配合して形成される。よって、一方のシール部８１と他方のシール部８２とは、互いに硬度が異なるゴム材料で構成されていればよく、同種の材質を用いたゴム材からなるものであってもよいし、異種の材質を用いたゴム材からなるものであってもよい。
【００２３】
そして、前記ガスケット８において、図３に示すように、前記２種のシール部のうちの一方のシール部８１の前記圧縮方向に沿った高さａが、他方のシール部８２の前記圧縮方向に沿った高さｂより大とされている。また、前記一方のシール部８１のゴム硬度が、前記他方のシール部８２のゴム硬度より大とされ、具体的には、前記一方のシール部８１のゴム硬度をＨｓ５０〜８０とし、前記他方のシール部８２のゴム硬度をＨｓ４０〜７０とすることが望ましい。さらに、前記他方のシール部８２のシール幅ｄが前記一方のシール部８１のシール幅ｃより大とされており、具体的には、前記他方のシール部８２のシール幅ｄを２〜１０ｍｍとすることが望ましい。前記一方のシール部８１のシール幅ｃは、前記凹溝６３に嵌め込み得る大きさとされ、且つ、前記一方のシール部８１の前記高さａは、凹溝６３の溝深さｅより高く設定される。
【００２４】
前記ガスケット８は、例えば、以下のような方法で作製される。即ち、一方のシール部８１を構成する前記未加硫のゴム材及び事前に調製された合成樹脂製の板状基材８０を所定の金型内に配置し、コンプレッション法により前記ゴム材を加硫し板状基材８０の一方の面に一体に成型する。次いで、前記板状基材８０の他方の面に他方のシール部８２を構成する前記未加硫のゴム材を配置し、コンプレッション法により前記ゴム材を加硫し板状基材８０の他方の面に一体に成型する。これによって、板状基材８０の表裏両面（一方の面、他方の面）に２種のゴム材製シール部（一方のシール部、他方のシール部）８１，８２が固着されたガスケット８が得られる。一方のシール部８１及び他方のシール部８２の板状基材８０に対する固着一体化は、成型時の加硫接着によってなされるが、この固着一体化をより強固にするため、前記コンプレッション成型の際、板状基材８０の表裏両面に接着剤を塗布しておいても良い。また、コンプレッション法に限らず、インジェクション法により、板状基材８０の表裏両面に一方のシール部８１及び他方のシール部８２を固着一体に成型しても良い。
【００２５】
前記のように構成されるガスケット８は、図３に示すように、前記一方のシール部８１をシリンダヘッドカバー６の凹溝６３に嵌め込んだ状態で、シリンダヘッドカバー６と共にシリンダヘッド３及びチェーンカバー５の上に載置される。これによって、当該ガスケット８は、前記シリンダヘッド３（及びチェーンカバー５）の被シール面３ａ（５ａ）とシリンダヘッドカバー６の被シール面６ａとの間に介在される。そして、図２に示すように、ボルト６２によって、シリンダヘッドカバー６を、シリンダヘッド３（及びチェーンカバー５）に締結すると、ガスケット８は前記被シール面３ａ（５ａ），６ａ間に圧縮状態で介在される。この圧縮に伴い、一方のシール部８１は、凹溝６３の空所内を満たすように弾性変形し、前記被シール面３ａ（５ａ）の一部をなす底面６３ａ及び側面６３ｂに密着する。特に、一方のシール部８１は、圧縮方向の高さａが大きいから、圧縮による弾性変形が大きく、しかも、ゴムより剛性のある板状基材８０に固着されているから、該板状基材８０と前記凹溝６３の底面６３ａ及び側面６３ｂとの間で圧縮され、底面６３ａ及び側面６３ｂに対する面圧が確保される。これによって、底面６３ａ及び側面６３ｂにおけるシール機能が良好に発揮される。しかも、当該一方のシール部８１のゴム硬度がＨｓ５０〜８０とされているから、シールに必要な前記面圧が確実に発生し、且つ、前記底面６３ａ及び側面６３ｂに対するなじみ性が良く、優れたシール機能が得られる。
【００２６】
また、他方のシール部８２は、板状基体８０と被シール面３ａ（５ａ）との間で圧縮され、被シール面３ａ（５ａ）に対して密着する。特に、他方のシール部８２はゴムより剛性のある板状基体８０に固着されているから、シール幅ｄが大きいにも関わらず、シール幅ｄの全体に亘り均一な応力が発現される。従って、被シール面３ａのように鋳巣３１による比較的大きな凹部３１ａがあっても、その影響を受けずに好適なシール機能が発揮される。しかも、このシール幅ｄは、２〜１０ｍｍに設定されているので、前記のように鋳巣３１による比較的大きな凹部３１ａが存在してもこれをカバーすることができる。そして、他方のシール部８２のゴム硬度が、一方のシール部８１のゴム硬度より小とされているから、被シール面３ａのように凹部３１ａが存在する粗面にも馴染み易く、粗面であっても良好なシール機能が得られる。また、剛性のある板状基材８０に固着されているから、他方のシール部８２におけるゴムの横流れも防止される。しかも、当該他方のゴム硬度がＨｓ４０〜７０とされているから、ゴムの横流れが発生し難く、当該シール部８２における亀裂の発生が抑制される。また、他方のシール部のゴム硬度がＨｓ７０を超える場合、被シール面３ａの凹部３１ａに対するなじみ性が良く、凹部３１ａがあるにも関わらずこの部分でのシール機能が低下する懸念がない。
【００２７】
なお、前記実施形態では、シール対象２部材が、シリンダヘッド３及びシリンダヘッドカバー６である例について述べたが、オイルパン及びシリンダブロック、チェーンカバー及びシリンダブロック、チェーンカバー及びシリンダヘッド、インテークマニホールド及びシリンダへッド、更には、オイルクーラー及びシリンダブロックであっても、同様に本発明のガスケットが適用される。また、前記実施形態では、シリンダヘッドカバー６がシリンダヘッド３及びチェーンカバー５の上端に跨るように締結される例について述べたが、シリンダヘッドカバー６がシリンダヘッド３のみに締結合体される場合であっても良い。さらに、図１に示す自動車用エンジン１の構造は一例に過ぎず、その他の構造の自動車用エンジンにも本発明のガスケットが適用されることは言うまでもない。また、自動車用エンジンに限らず、シール幅が異なり、被シール面の一方に比較的大きな凹部が存在するような他のシール対象２部材にも、本発明のガスケットが好ましく適用される。
【符号の説明】
【００２８】
３                        シリンダヘッド（シール対象２部材の他方）
３ａ                      被シール面
３１ａ                    凹部
６                        シリンダヘッドカバー（シール対象２部材の一方）
６３                      凹溝
６ａ                      被シール面
８                        ガスケット
８０                      板状基材
８１                      一方のシール部
８２                      他方のシール部
ａ                        一方のシール部の圧縮方向に沿った高さ
ｂ                        他方のシール部の圧縮方向に沿った高さ
ｃ                        一方のシール部のシール幅
ｄ                        他方のシール部のシール幅
【図１】
2014081049.tif 000003
【図２】
2014081049.tif 000004
【図３】
2014081049.tif 000005